(57)【要約】【課題】水漏れすることなく、水回りの広さや形状に合わせて簡単にノズルを交換できる縦型浄水器を提供する。【解決手段】底部に水道水供給口を備えたケースの内部に、粉末活性炭が収納された下側カートリッジと、セラミック膜が収納された上側カートリッジとを収納し、これらの下側カートリッジと上側カートリッジとを通過したろ過水をケースの上部から取り出す縦型浄水器である。上側カートリッジを通過したろ過水の流路を備えた上蓋を上側カートリッジの上面とケース上面との間に設置し、その流路の先端部を垂直孔としてケース上面に開口させ、基部にＯリングを備えたノズルをこの垂直孔に着脱及び回転可能に装着した。【選択図】図１
0003167529.tif 000002
【実用新案登録請求の範囲】
【請求項１】
底部に水道水供給口を備えたケースの内部に、粉末活性炭が収納された下側カートリッジと、セラミック膜が収納された上側カートリッジとを収納し、これらの下側カートリッジと上側カートリッジとを通過したろ過水をケースの上部から取り出す縦型浄水器において、
上側カートリッジを通過したろ過水の流路を備えた上蓋を上側カートリッジの上面とケース上面との間に設置するとともに、その流路の先端部を垂直孔としてケース上面に開口させ、
基部にＯリングを備えたノズルをこの垂直孔に着脱及び回転可能に装着したことを特徴とする縦型浄水器。
【請求項２】
垂直孔が、ノズルの基部に形成された凹溝と嵌合して水圧による脱落を防止するＣリングを備えたものであることを特徴とする請求項１記載の縦型浄水器。
【請求項３】
Ｃリングの内径をＯリングの外径よりも大きくしたことを特徴とする請求項２記載の縦型浄水器。
【請求項４】
垂直孔がケース上面の偏心位置にあることを特徴とする請求項１記載の縦型浄水器。
【請求項５】
ケースが水道水供給口を備えた底板部と、その上方に支持された本体部とからなり、底板部に対する本体部の取り付け角度を所定間隔で変更可能としたことを特徴とする請求項４記載の縦型浄水器。
【考案の詳細な説明】
【技術分野】
【０００１】
本考案は、水道水を活性炭及びセラミックフィルターが収納されたカートリッジを通して浄水とし、上部のノズルから吐出させる構造の縦型浄水器に関するものである。
【背景技術】
【０００２】
近年、飲料水の安全性やおいしさ等への意識の高まりから高性能浄水器の普及が進んでいる。このような浄水器は、蛇口に直付けする簡易式浄水器に比べ浄水機能が優れているが、内蔵されたろ過部材や吸着部材等が重いため、浄水器本体を水道の蛇口に近い位置に据え置いて使用されるのが一般的である。例えば、特許文献１には、水道などの蛇口に直接接続される流路切換器と、原水を浄化する浄水器本体と、流路切換器と浄水器本体を連通接続し原水を浄水器本体へ導くホースとから構成され、浄水器本体上面の外周部分に、水平方向に所定角度において回転するノズルを備えた縦型浄水器が開示されている。
【０００３】
また、特許文献２には、浄水器本体と、浄水器本体の側面に設けられ、垂直方向に回転可能となした浄水ノズルとを備える縦型浄水器が記載されている。この浄水器は、浄水器本体の側面に取り付けられた浄水ノズルが垂直方向に３６０度回転し、かつ上側ベース及び本体カバーが水平方向に約１２０度の範囲内で回動する構造であるので、注ぐ容器の高さに合わせてノズルの角度を調節したり、浄水器本体を一定の範囲内で左右に回動したりして吐水方向を変更できるという利点がある。
【０００４】
しかし、上記の浄水器ではいずれも浄水器本体にノズルが回転可能であるが抜けないように取付けられており、ノズルを取り外すことができない。これは、取付け部からの水漏れを防止するためであるが、浄水器を設置する水回りの広さや形状はユーザーによって様々であるので、浄水器を設置できたとしてもノズルの長さが合わず、使い勝手が悪い場合があった。
【先行技術文献】
【特許文献】
【０００５】
【特許文献１】特開平１１−４７７３１号公報
【特許文献２】特開２００３−３２６２５２号公報
【考案の概要】
【考案が解決しようとする課題】
【０００６】
本考案の目的は前記した従来の問題を解決し、水回りの広さや形状に合わせて簡単にノズルを交換することができ、しかも水漏れするおそれのない浄水器を提供することである。
【課題を解決するための手段】
【０００７】
上記課題を解決するためになされた本考案は、底部に水道水供給口を備えたケースの内部に、粉末活性炭が収納された下側カートリッジと、セラミック膜が収納された上側カートリッジとを収納し、これらの下側カートリッジと上側カートリッジとを通過したろ過水をケースの上部から取り出す縦型浄水器において、上側カートリッジを通過したろ過水の流路を備えた上蓋を上側カートリッジの上面とケース上面との間に設置するとともに、その流路の先端部を垂直孔としてケース上面に開口させ、基部にＯリングを備えたノズルをこの垂直孔に着脱及び回転可能に装着したことを特徴とするものである。
【０００８】
また、上記垂直孔は、ノズルの基部に形成された凹溝と嵌合し、水圧による脱落を防止するＣリングを備えたものであることが好ましい。さらに、Ｃリングの内径をＯリングの外径よりも大きくするとよい。
【０００９】
また、上記垂直孔がケース上面の偏心位置に設けることが好ましい。なお、ケースが水道水供給口を備えた底板部と、その上方に支持された本体部とからなり、底板部に対する本体部の取付け角度を所定間隔で変更可能とすることが好ましい。
【考案の効果】
【００１０】
本考案に係る浄水器は、粉末活性炭が収納された下側カートリッジと、セラミック膜が収納された上側カートリッジを内部に備え、上側カートリッジの上面とケース上面との間に設置された上蓋に上側カートリッジを通過したろ過水の流路が形成されている。そして、この流路の先端部を垂直孔としてケース上面に開口させ、基部にＯリングを備えたノズルをこの垂直孔に着脱及び回転可能に装着している。このように、ノズルを垂直孔に着脱可能としたので、設置場所の寸法や使い勝手に合わせて、適当な長さのノズルに交換することができる。また、上記ノズルは垂直孔を中心軸として３６０度水平回転できるので、好みの方向にノズルを移動させ注ぐことができる。さらに、上記ノズルは基部にＯリングを備えているので、ノズルと垂直孔は水密に保たれ、水漏れすることがない。
【００１１】
また実施形態においては、前記垂直孔はノズルの基部が嵌合できるように形成されており、垂直孔の入口にはＣリングが備えられている。この構造により、垂直孔内でＣリングがノズルの基部に形成された凹溝に係止するため、水圧によってノズルが外れることを防止できる。さらに、Ｃリングの内径をＯリングの外径よりも大きくすれば、ノズルを着脱する際にノズルの基部に取付けられたＯリングがＣリングに引っ掛かることがない。
【００１２】
また、上記垂直孔をケース上面の偏心位置に設ける構造とすれば、同じノズルを用いてもノズルの回転角度によって浄水器本体と注ぎ口（吐水口）との距離を調節できる。さらに、前記ケースは水道水供給口を備えた底板部と、その上方に支持された本体部とから構成されるところ、底板部に対する本体部の取り付け角度を所定間隔で変更とすれば、設置場所に合うよう本体の向きを調節できる。
【図面の簡単な説明】
【００１３】
【図１】底板部を一部切り欠いて示した浄水器全体の左側面図である。
【図２】浄水器の上部の分解斜視図である。
【図３】浄水器の上部を一部切欠いて示した正面図である。
【図４】ノズル取付け部の拡大断面図である。
【図５】右側面から見た浄水器底面を示す斜視図である。
【考案を実施するための形態】
【００１４】
以下に本考案の好ましい実施形態を示す。
本考案に係る縦型浄水器は、図１に示すように、中空のケース１の内部にカートリッジユニット４を収納し、ケース１の底板部２の水道水供給口９から供給された水道水をカートリッジユニット４を通過させて浄化し、ケース１の上面１０に着脱及び回転自在に取り付けられたノズル６から吐出させる構造のものである。
【００１５】
ケース１は円筒状の本体部３と、底板部２と、上面１０とからなるもので、図１に示されるように上面１０は手前側が低くなるように略３０度に傾斜している。ケース１の内部には、カートリッジユニット４が載置されている。またカートリッジユニット４の上面とケース１の上面１０との間には、上蓋５が設けられている。
【００１６】
カートリッジユニット４には、粉末活性炭が収納された下側カートリッジ４１と、セラミック膜が収納された上側カートリッジ４２とが内蔵されており、カートリッジユニット４の底面中央には水道水の入水口４３、上面中央にはろ過水の出水口４４が凸状に形成されている。入水口４３及び出水口４４の外周面には水漏れ防止用のＯリング４５、４６が取付けられており、入水口４３は底板部中央の水道水供給部材２１と、出水口４４は上蓋５内の流路と連通する凹部７２と、それぞれ水密に嵌合する。なお、入水口４３から流入した水道水は、下側カートリッジ４１内の活性炭によってトリハロメタンや鉛などの有害物質が除去され、次いで上側カートリッジ４２内のセラミック膜を通過することによって細菌、微生物、サビ等の微細な不純物が確実に除去される。
【００１７】
図３、図４に示されるように、カートリッジユニット４の上面とケース１の上面との間に設置された上蓋５は、内部にろ過水の流路７１が形成された蓋部材７と、蓋部材７の流路出口に連結される流路部材８とからなる。上蓋５は、ケース１内の上部内面にボルト１１で固定されている。蓋部材７の裏面中央には、図４に示すように、流路７１と連通する凹部７２が設けられており、この凹部７２にカートリッジユニット４の出水口４４が嵌合する。カートリッジユニット４の出水口４４及び流路部材８の基部には、ともに水漏れ防止用のＯリング４６、８２が取付けられているので、各連結部は水密に保たれる。
【００１８】
また、流路部材８の先端部は、垂直孔８１としてケース１の上面１０の偏心位置に開口しており、この垂直孔８１にノズル６の基部が装着される。このように、垂直孔８１をケース１の上面１０の偏心位置に設ければ、ノズル６の回転角度により、浄水器本体と注ぎ口との距離を調節できる。
【００１９】
垂直孔８１の上部内面には、ノズル６の脱落を防止するＣリング８３が設けられている。このＣリング８３はノズル６の基部に形成された環状の凹溝６１と弾性的に嵌合し、水圧によってノズル６が垂直孔８１から脱落することを防止するものである。しかしノズル６を手で強制的に引き抜くことができる程度の弾性を持たせておく。
【００２０】
ノズル６は、基部及び先端部が下向きに屈曲しており、基部には凹溝が上下２箇所に形成されている。上側の凹溝６１は、前記の垂直孔８１に設けられたＣリング８３を嵌合させるためのものである。また、下側の凹溝６２は水漏れ防止用のＯリング６３を取付けるためのものである。このＯリング６３は図４に示すように垂直孔８１の内周面に密着し、ノズル６を回転させても垂直孔８１との取付け部からの水漏れを防止する。
【００２１】
ノズル６の基部の外径は、末端に向かうにつれ僅かに小さくなるよう形成されているので、ノズル６を上方に引っ張ることによって、Ｃリング８３を外側に弾性変形させながら、ノズル６を垂直孔８１から取り外すことができ、また別のノズル６の基部を嵌めることができる。本実施形態では、前記Ｃリング８３の内径はノズル６に取付けられたＯリング６３の外径よりも大きいため、ノズル６を着脱する際にＯリング６３がＣリング８３に引っかかることなく、ノズル６の交換をスムーズに行うことができる。
【００２２】
このため、基部のサイズを共通とした複数のノズル６を用意しておけば、ユーザーは設置場所や使用情況に適した長さや形状を持つノズル６と容易に交換することができる利点がある。
【００２３】
次に請求項５の構成について説明する。
図１及び図５に示すように、ケース１の底板部２は略円盤状をなし、中心部にはカートリッジユニット４の下端と水密に嵌合する水道水供給部材２１が取付けられ、その外側には脚部２４が形成されている。水道水は、水平側方に延びる水道水供給口９から水道水供給部材２１内の流路を通って下側カートリッジ４１に入水する。なお、底板部２の下端周面には給水ホースを外側に通すための切欠部２２が形成されている。
【００２４】
また、底板部２の上部外周面には、図５に示すような傾斜部を持つ係合溝２３が形成されている。この係合溝２３は傾斜部の下端に水平溝部を備えた形状である。一方、ケース１の本体部３の下端内周には係合溝２３に係合される突起部３１が形成されている。これらの係合溝２３と突起部３１は、９０度間隔で４箇所に設けられている。底板部２に本体部３を被せた後、本体部３を右回転すると、前記突起部３１が係合溝２３内をスライドして水平溝部に嵌りこんで係止されることにより、本体部３は底板部２に固定される。
【００２５】
本実施形態では突起部３１及び係合溝２３を９０度間隔に設けているので、底板部２に対する本体部３の設置方向を９０度毎に変えることができる。底板部２の方向は水道水供給口９を水道に接続する必要があるために自由に変えにくいが、上記の構造とすれば底板部２を一定方向に設置したまま、その上方部分の方向を９０度間隔で変えることができ、ケース上面１０の偏心位置に設けられた垂直孔８１の位置も変更できるので、交換可能なノズル６と相まって、使用の自由度を高めることができる。
【００２６】
以上に説明したように、本考案の縦型浄水器は、水回りの広さや形状に合わせて簡単にノズル６を交換することができ、しかも水漏れするおそれのない利点があり、特に家庭用浄水器として使用するに適したものである。
【符号の説明】
【００２７】
１  ケース
２  底板部
３  本体部
４  カートリッジユニット
５  上蓋
６  ノズル
７  蓋部材
８  流路部材
９  水道水供給口
１０  上面
１１  ボルト
２１  水道水供給部材
２２  切欠部
２３  係合溝
２４  脚部
３１  突起部
４１  下側カートリッジ
４２  上側カートリッジ
４３  入水口
４４  出水口
４５  Ｏリング
４６  Ｏリング
６１  凹溝
６２  凹溝
６３  Ｏリング
７１  流路
７２  凹部
８１  垂直孔
８２  Ｏリング
８３  Ｃリング
【図１】
0003167529.tif 000003
【図２】
0003167529.tif 000004
【図３】
0003167529.tif 000005
【図４】
0003167529.tif 000006
【図５】
0003167529.tif 000007